(57)【特許請求の範囲】
【請求項１】
中空の錠ケースと、一対の平行板及びこれらの平行板を一体に連結する背部とを有してなる横断面コ字状の枠体で、上記錠ケース内に固定された取付片と、この取付片の一対の平行板に垂直な板状体で、中央部両側端縁に夫々耳片を一体に垂設した係止部材と、この係止部材の一端部に設けられた抜け止め手段と、上記係止部材の他端部に一体に垂設されたＴ字状をなす作用片と、上記錠ケース内に固定され、鍵孔を外部に露出させたシリンダ錠と、このシリンダ錠の内筒に装着された断面異形のテイルピースとを有し、上記係止部材の幅方向の外法寸法を取付片の一対の平行板の間隔より小さく設定すると共に、係止部材の耳片及び取付片の一対の平行板を板厚方向に貫通する枢軸により、係止部材を上記一対の平行板の間で揺動可能に支承し、一方、基端を錠ケースに固着した可撓性を有する条帯を、錠ケース外でループを形成させた後、その先端部が、取付片の背部内面と係止部材との間を、後者の他端側から一端側に抜け出るように通し、更に、錠ケースを貫通させて錠ケース外に引出し、他方、シリンダ錠の内筒に設けたテイルピースを係止部材の作用片に係脱可能に臨ませ、施錠時係止部材を自由にしてその一端の抜け止め手段と取付片の背部との間に条帯を挟むようにし、錠ケース外でループをなす条帯を引いてその先端部を錠ケース内に戻そうとする操作に対し、係止部材の一端の抜け止め手段と条帯との間に作用する摩擦力の分力により、抜け止め手段が条帯を更に強く挟むようにしたことを特徴とする条帯付き錠装置。
【発明の詳細な説明】
【０００１】
【発明の属する技術分野】
この発明は条帯付き錠装置に関する。本明細書において用いられる用語「条帯」は、ひも、芯材の回りを被覆したコード、革製又は合成樹脂性のベルトなど、ひも状又は帯状の長尺物を総称する。
【０００２】
そして、この発明に係る条帯付き錠装置は、袋類の口部を開け閉めする締めひも（図３参照）、又は、かばん類の置き引きを防止するための結えひも（図４参照）等に対し錠を施すことができるようにしたものである。
【０００３】
【従来の技術】
近似した技術としては、例えば、自転車やバイクの車輪に装着されるワイヤロック又はチェンロックを挙げることができるが、それらにおいては、チェン等の先端の係止片を錠ケースに対し係着することによりループが形成されるようにしてある。
【０００４】
その為、ループの大きさは一定で調整することができず、袋類の口部の締めひもとしては用いることができないこと、また、結えひもとして用いるときは、ループが大き過ぎたり小さ過ぎたりして使い勝手が悪いことなどの問題がある。
【０００５】
【発明が解決しようとする課題】
この発明の条帯付き錠装置は、施錠時におけるループの大きさ（長さ）を自由に調整出来るようにすることにより、袋類の口部を開け締めする締めひも（条帯）としての使用を可能とすると共に、結えひもとしての使用において使い勝手をよくすることを目的として提案されたものである。
【０００６】
【課題を解決するための手段】
上記の目的を達成するため、請求項１に記載の発明は、中空の錠ケースと、一対の平行板及びこれらの平行板を一体に連結する背部とを有してなる横断面コ字状の枠体で、上記錠ケース内に固定された取付片と、この取付片の一対の平行板に垂直な板状体で、中央部両側端縁に夫々耳片を一体に垂設した係止部材と、この係止部材の一端部に設けられた抜け止め手段と、上記係止部材の他端部に一体に垂設されたＴ字状をなす作用片と、上記錠ケース内に固定され、鍵孔を外部に露出させたシリンダ錠と、このシリンダ錠の内筒に装着された断面異形のテイルピースとを有し、上記係止部材の幅方向の外法寸法を取付片の一対の平行板の間隔より小さく設定すると共に、係止部材の耳片及び取付片の一対の平行板を板厚方向に貫通する枢軸により、係止部材を上記一対の平行板の間で揺動可能に支承し、一方、基端を錠ケースに固着した可撓性を有する条帯を、錠ケース外でループを形成させた後、その先端部が、取付片の背部内面と係止部材との間を、後者の他端側から一端側に抜け出るように通し、更に、錠ケースを貫通させて錠ケース外に引出し、他方、シリンダ錠の内筒に設けたテイルピースを係止部材の作用片に係脱可能に臨ませ、施錠時係止部材を自由にしてその一端の抜け止め手段と取付片の背部との間に条帯を挟むようにし、錠ケース外でループをなす条帯を引いてその先端部を錠ケース内に戻そうとする操作に対し、係止部材の一端の抜け止め手段と条帯との間に作用する摩擦力の分力により、抜け止め手段が条帯を更に強く挟むようにしたことを特徴とする。
【０００７】
【発明の実施の形態】
以下、図面に示す実施例に基いて、この発明について説明する。
図１〜図４において、１は外形が直方体状その他任意形状をなす中空の錠ケースである。
【０００８】
錠ケース１には外側に延出する可撓性を有する強靭な条帯２の基端を固定リング９１等で固着すると共に、条帯２１の先端側は該条帯２の中央部分２１でループを形成できるように、錠ケース１に対をなして形成した貫通孔１１、１１に少なくも施錠時は挿通させてある。
【０００９】
条帯２は、例えば、綿、絹、麻等の紐、ピアノ線を撚った細い芯材（芯線）の回りを例えば塩化ビニール等の合成樹脂で被覆したコード、革製又は合成樹脂製のベルト等で作られる。
【００１０】
条帯２の先端側は、錠ケース１の貫通孔１１、１１から抜き出すようにしてもよいし、例えば袋類２０の口部を開け締めする締めひも（図３参照）として用いるときは、条帯２の先端は錠ケース１から抜き出すことを要しないから、その先端部に対して結び目や短管（いずれも図示しない）等でストッパを作ってもよい。
【００１１】
図中、符号９２は錠ケース１の各貫通孔１１に固着したブッシュで、条帯２はそのブッシュ９２内を摺動可能に通って長さ方向に変位できるようにしてある。ブッシュ９２は例えば合成樹脂材料で作られている。
【００１２】
また、錠ケース１内には条帯２の受けを兼ねる横断面コ字状の受け部３１を介し、中央部に一対の耳片を形成した全体の形状がＬ字状の係止部材３が揺動可能に設けてある。
【００１３】
符号３２は係止部材３の枢軸で、符号３３は受け部３１の背部と錠ケース１の内面との間に設けたスペーサである。
【００１４】
中央部が枢支された係止部材３は、一端部に条帯２に対する抜け止め手段３４を有し、その一端部が条帯２における錠ケース１内の挿通部分２２に選択的に当接係合し又は、離間するようにしてある。
【００１５】
図示例の抜け止め手段３４は、係止部材３に固着させた薄いゴム状弾性体で形成されているが、他の抜け止め手段としては、例えば、条帯２における挿通部分２２の長さ方向に対し直角をなすようにして係止部材３の表面に一体に設けた数本の突条（図示しない）を挙げることができる。
【００１６】
他方、係止部材３の多端部には、本体部分から直角に延びるＴ字状をなす一体の作用片３５を備えている。
【００１７】
他方、係止部材の他端部には、本体部分から直角に伸びるＴ字状をなす一体の作用片３５を備えている。
【００１８】
付勢手段４としての図示のねじりばねは、その中央のループ部分を枢軸３２の回りに管体３６を介して嵌挿させると共に、一端を係止部材３の一端部に、他端を後記のシリンダ錠５の胴部に、それぞれ押し当てることによリ、錠ケース１内において装着してある。
【００１９】
更に、錠ケース１内には鍵孔を外部に露出させたシリンダ錠５がその胴部の雄ねじ５１に螺合させたナット５２により固定してある。
【００２０】
そして、シリンダ錠５の内筒５４に設けたテイルピース５３は、例えば、横断面が半円状に形成してあって、鍵孔に差込まれた合鍵６の右又は左方向への回動操作により、係止部材３の作用片３５に選択的に係合し又は離間し、もって、該係止部材３が図１に示す解錠位置又は図２に示す施錠位置を占めるように制御する。
【００２１】
そして、係止部材３は図２に示す施錠時上述の抜け止め手段３４の存在により条帯２に対しループ２１の緩み方向（矢印Ｐ方向）への変位を拘束する一方、ループ２１の締め付け方向（矢印Ｑ方向）への変位においては付勢手段４に抗して係止部材３の一端部（３４）を押し上げるので、その方向への条帯２の移動は許容される。
【００２２】
次に、この発明の作用について説明する。
解錠状態を示す図１においては、条帯２の先端側が錠ケース１の貫通孔１１、１１に差込まれていても、係止部材３はその他端部の作用片３５においてテイルピース５３に係合しており、該係止部材３における一端部の抜け止め手段３４は条帯２の挿通部分２２から離間している。
【００２３】
従って条帯２の先端部を手指で掴んで、錠ケース１に対し押し引きすれば条帯２は長さ方向について変位が自由で、そのループ２１は大きさ（長さ）を変えることができる非固定状態にある。
【００２４】
ここで、合鍵６を差し込み、右又は左回りに例えば１８０°回動させると、図２に示すように係止部材３のテイルピース５３による拘束が解かれるので、係止部材３はねじりばね等の付勢手段４によって揺動し、その抜け止め手段３４が受け部３１との間で条帯２を挟持することになる。しかる後、鍵６を抜き取り保管する。
【００２５】
そして、ループ２１を適当な大きさにするためそれを絞って、すなわち条帯２を矢印Ｑ方向に向け引き絞って調整する。なお、鍵６の抜き取りは、ループ２１の調整後であってもよい。
【００２６】
条帯２を矢印Ｑ方向に引き絞ってループを小さくするときには、条帯２と抜け止め手段３４との間に作用する摩擦力により、抜け止め手段３４は図２で上方に引張られる。
【００２７】
この摩擦力の図２において右方に向かう分力により、係止部材３の抜け止め手段３４は条帯２から離間する方向に駆動されるが、図２から明らかなように、係止部材３は時計方向の回動は許容されているので、条帯２の矢印Ｑ方向の移動は自由である。
【００２８】
一方、条帯２を図２で矢印Ｐ方向に引張るときには、前記とは逆に、条帯２と抜け止め手段３４との間に作用する摩擦力の分力は図２で左方に作用し、抜け止め手段３４を条帯２に近接する方向に駆動する。
【００２９】
しかしながら、図２から明らかなように、抜け止め手段３４が条帯２に近接する方向に移動すると、抜け止め手段３４が条帯２を更に強く挟む結果となり、摩擦力が更に増大するので、結局条帯２をそれ以上矢印Ｐ方向に引くことはできない。
【００３０】
ここに、条帯２は錠ケース１に対しループ２１の緩み方向、すなわち矢印Ｐ方向への変位が拘束されるので、条帯２は施錠状態となる。
【００３１】
また、条帯２を解錠状態に戻すためには、鍵６で内筒５４及びテイルピース５３を逆方向に回して係止部材３を図１の解錠位置に戻せばよく、条帯２の錠ケース１に対する抜き差しは自由となる。
【００３２】
なお、本錠装置の解錠時において鍵６の紛失を防止する目的で、構造的に抜けないようにすることは自由である。この場合、鍵６は施錠時においてのみ抜き出せることになる。
【００３３】
このような本発明に係る条帯２を図３に示すように袋類１０の口部の締めひもとして用いたときは、締め込まれたループ２１は拡げることが不能であるから、袋類１０の収容物は盗難にあったりすることがない。
【００３４】
なお、図３において、符号１０は自転車等の荷台２０に固定された郵便配達用の荷物袋を示しており、１０ａは荷物袋１０の下部を形成する箱体を１０ｂは荷物袋１０の上部を形成する網袋をそれぞれ表わしている。
【００３５】
また、図４には、本発明に係る条帯２をかばん類３０の結えひもとして用いた例を示している。この例では、列車内の荷物棚（網棚）４０に乗せた旅行かばん３０の置き引きを防止するため、旅行かばん３０の取手３０ａと荷物棚４０の一部を構成する管材４０ａとを条帯２のループ２１をもって連結させてある。同図で符号５０は列車の窓を示している。
【００３６】
本発明に係る条帯付き錠装置の用途は、必ずしも上記した２つの例に限るものではなく、別の使用を妨げるものではない。
【００３７】
【発明の効果】
以上に説明したこの発明の条帯付き錠装置は、郵便袋その他の袋類の収容物が抜き取られたり、かばん類が置き引きされたりすることを防止するについて有効であり、また、条帯のループの大きさは任意に変更できるので使い勝手がよいなどの効果を奏する。
【図面の簡単な説明】
【図１】  この発明に係る錠装置の実施例を解錠状態で示す図で、（Ａ）は部分縦断正面図、（Ｂ）は図１（Ａ）のＩＢ−ＩＢ線による横断底面図。
【図２】  図１の実施例の施錠状態で示す図で、（Ａ）は部分縦断正面図、（Ｂ）は図２（Ａ）のＩＩＢ−ＩＩＢ線による横断底面図である。
【図３】  この発明に係る条帯付き錠装置の第１使用例を示す説明図。
【図４】  同じくその第２の使用例を示す説明図。
【符号の説明】
１  錠ケース
１１  貫通孔
２  条帯
２１  中央部分（ループ）
３１  受け部
３４  抜け止め手段
３５  作用片
５  シリンダ錠
５３  テイルピース
５４  内筒
【図１】
0003993910.tif 000002
【図２】
0003993910.tif 000003
【図３】
0003993910.tif 000004
【図４】
0003993910.tif 000005